(57)【要約】【課題】  釣り針をしっかりと保持固定した状態で魚に対する釣り針の押し込み離脱操作が簡単に行えるようにする。【解決手段】  操作ロッド部２を前方に向けて突出配置して成る把持部３と、操作ロッド部２にスライド貫挿し、操作ロッド部２に巻装配置したスプリングバネ５の拡圧弾性力に抗して把持部３側へ圧縮可能にしたトリガー部４と、トリガー部４に末端部を固定し、操作ロッド部２内を通ってから外方に突出した先端部を折り返すことで釣り針Ｐを引っ掛けるようフック部１２を形成して成る操作アーム部６とを備える。トリガー部４の引き込み操作によってフック部１２の折曲部位を操作ロッド部２先端開口位置まで引き込み移動することで操作ロッド部２先端とフック部１２の折り返し部分との間に釣り針Ｐを挟持し、回転させて釣り針Ｐを取り外すようにしてある。【選択図】      図１
2005253375.tif 000002
【特許請求の範囲】
【請求項１】
操作ロッド部を前方に向けて突出配置させて成る把持部と、操作ロッド部にスライド貫挿され、操作ロッド部に巻装配置されたスプリングバネの拡圧弾性力に抗して把持部側へ圧縮可能にしたトリガー部と、トリガー部に末端部が固定され、操作ロッド部内を通ってから外方に突出された先端部を折り返すことで釣り針を引っ掛けるようフック部を形成して成る操作アーム部とを備え、トリガー部の引き込み操作によってフック部の折曲部位を操作ロッド部先端開口位置まで引き込ませることで操作ロッド部先端とフック部の折り返し部分との間に釣り針を挟持可能として成ることを特徴とする釣り針取り外し具。
【請求項２】
操作ロッド部は、フック部の折曲部位が係止される程度に先端側が次第に細径となって形成されて成る請求項１記載の釣り針取り外し具。
【請求項３】
操作アーム部は、この末端側が操作ロッド部後方部側の側面開口部から外出され、トリガー部に対してネジ止め挟持部材によって着脱可能に取り付けられている請求項１または２記載の釣り針取り外し具。
【請求項４】
トリガー部は、操作ロッド部と並行に配置されたガイドロッドを介して把持部側へ案内移動可能とした請求項１乃至３のいずれか記載の釣り針取り外し具。
【発明の詳細な説明】
【技術分野】
【０００１】
本発明は、釣り上げた魚の例えば喉奥部に引っ掛かっている釣り針を、魚等を直接に手指で押さえ触れることなく、簡単に取り外すことができるようにした釣り針取り外し具に関するものである。
【背景技術】
【０００２】
釣り針が魚の喉奥部に刺さった状態で釣り竿を引き上げた際には、釣り針の尖端が釣り竿の方向に向くため、そのまま釣り針を引っ掛けて外したのでは、容易に外すことができず、しかも魚に損傷を与えてしまう虞れがある。
【０００３】
そのため従来では、釣り針を例えば釣り竿と逆の方向にいったん押し込んだ後に魚から釣り針を離脱させるために、図４（ａ）に示すように、竹細工等による直線状の把持部１０１の先端部に、先端が略Ｖ字型二股状に形成され且つ二股の一方の先端が他方の先端に向けて横側で円弧状に湾曲された状態からさらに他方の先端側に沿って折り返されて成るフック部１０３を備えた操作アーム部１０２が取り付けられている釣り針取り外し具が使用される。そして釣り針を取り外すに際し、操作アーム部１０２のフック部１０３における二股部分を釣り針に引っ掛けてから当該釣り針を必要があればいったん押し込んで離脱させるものとしている。
【０００４】
また、図４（ｂ）に示すように、竹細工等による湾曲状の把持部２０１の先端部に、先端が円環状もしくは螺旋状等に形成されたフック部２０３をしなえた操作アーム部２０２が取り付けられている釣り針取り外し具を使用することもある。このような場合、釣り針を取り外すに際し、操作アーム部２０２のフック部２０３における円環状もしくは螺旋状の部分を釣り針に絡ませてから当該釣り針を押し込んで離脱させるものとしている。
【特許文献１】特になし
【発明の開示】
【発明が解決しようとする課題】
【０００５】
しかしながらこのような従来の釣り針取り外し具では、釣り針を釣り竿と逆の方向にいったん押し込んで魚から釣り針を離脱させるに際し、これらのようなフック部１０３，２０３における二股部分を釣り針に引っ掛けたり、円環状もしくは螺旋状の部分を釣り針に絡ませたりするだけでは操作アーム部１０２，２０２自体に釣り針をしっかりと保持固定することができないものとなり、釣り針の押し込み離脱操作がぐらついてぎこちなくなり困難なものとなる等の問題点を有していた。しかも、離脱操作に際し、魚等が暴れることがあると、魚等を直接に手指等で押さえておかなければならず、そうすると魚臭が手指等に付着するから、その除去は面倒である。
【０００６】
そこで本発明は叙上のような従来存した諸事情に鑑み創出されたもので、釣り上げた魚から釣り針を離脱させるに際し、操作アーム部のフック部自体に釣り針をぐらつきなくしっかりと保持固定することができ、しかも魚等を手指によって押さえておく必要がなく、簡単に釣り針の離脱操作を容易に行えるようにした釣り針取り外し具を提供することを目的とする。
【課題を解決するための手段】
【０００７】
上述した課題を解決するため、本発明にあっては、操作ロッド部２を前方に向けて突出配置させて成る把持部３と、操作ロッド部２にスライド貫挿され、操作ロッド部２に巻装配置されたスプリングバネ５の拡圧弾性力に抗して把持部３側へ圧縮可能にしたトリガー部４と、トリガー部４に末端部が固定され、操作ロッド部２内を通ってから外方に突出された先端部を折り返すことで釣り針Ｐを引っ掛けるようフック部１２を形成して成る操作アーム部６とを備え、トリガー部４の引き込み操作によってフック部１２の折曲部位を操作ロッド部２先端開口位置まで引き込ませることで操作ロッド部２先端とフック部１２の折り返し部分との間に釣り針Ｐを挟持可能とすることで、釣り針取り外し具１としたものである。
操作ロッド部２は、フック部１２の折曲部位が係止される程度に先端側が次第に細径となって形成されて成るものとできる。
操作アーム部６は、この末端側が操作ロッド部２後方部側の側面開口部７から外出され、トリガー部４に対してネジ止め挟持部材１０によって着脱可能に取り付けられているものとできる。
トリガー部４は、操作ロッド部２と並行に配置されたガイドロッド１１を介して把持部３側へ案内移動可能としたものとできる。
【０００８】
以上のように構成された本発明に係る釣り針取り外し具１にあって、操作アーム部６は、把持部３側へのトリガー部４の引き込み操作によって牽引され、操作アーム部６先端のフック部１２における折曲部位が操作ロッド部２先端開口位置まで引き込み移動させられる。そこで折曲部位が係止されることで、フック部１２によって捕捉されている釣り針Ｐが操作ロッド部２先端とフック部１２の折り返し部分との間に挟持固定され、この状態で魚の喉奥部側へ釣り針Ｐを必要があればいったん押し込み、操作ロッド部２ごとフック部１２を回転させることで釣り針Ｐを簡単に離脱させる。
先端側が次第に細径となって形成されて成る操作ロッド部２は、操作ロッド部２先端とフック部１２の折り返し部分との間における釣り針Ｐの捕捉を容易にさせる。
トリガー部４に対してネジ止め挟持部材１０によって着脱可能に取り付けられる操作アーム部６は、トリガー部４に対する操作アーム部６自体の取り付け位置を任意に変更させることで、把持部３に対するトリガー部４の引き込み操作が行い易い位置となるように設定させる。
ガイドロッド１１は、操作ロッド部２に対してトリガー部４を回動させずに把持部３側へ向けて平行移動させる。
【発明の効果】
【０００９】
本発明によれば、釣り針Ｐを魚から離脱させるに際し、操作アーム部６のフック部１２自体にて釣り針Ｐに引っかけ、引き込むことで釣り針Ｐをぐらつくことなくしっかりと保持固定することができ、その状態で捻るように回転させることで魚等が暴れることがあっても釣り針Ｐを魚から簡単に離脱操作できるのである。
【００１０】
すなわちこれは本発明が、操作ロッド部２を前方に向けて突出配置させて成る把持部３と、操作ロッド部２にスライド貫挿され、操作ロッド部２に巻装配置されたスプリングバネ５の拡圧弾性力に抗して把持部３側へ圧縮可能にしたトリガー部４と、トリガー部４に末端部が固定され、操作ロッド部２内を通ってから外方に突出された先端部を折り返すことで釣り針Ｐを引っ掛けるようフック部１２を形成して成る操作アーム部６とを備え、トリガー部４の引き込み操作によってフック部１２の折曲部位を操作ロッド部２先端開口位置まで引き込ませることで操作ロッド部２先端とフック部１２の折り返し部分との間に釣り針Ｐを挟持可能としたからであり、これにより、必要があれば魚の喉奥部側への釣り針Ｐの押し込み操作と、フック部１２に対する把持部３を使用した回転による離脱操作とが容易に行われるものとなって、魚の例えば喉奥部に刺さっている釣り針Ｐを簡単に離脱させることができる。
【００１１】
操作ロッド部２は、フック部１２の折曲部位が係止される程度に先端側が次第に細径となって形成されて成るので、操作ロッド部２先端とフック部１２の折り返し部分との間における釣り針Ｐの捕捉が容易に行える。
【００１２】
操作アーム部６は、この末端側が操作ロッド部２後方部側の側面開口部７から外出され、トリガー部４に対してネジ止め挟持部材１０によって着脱可能に取り付けられており、トリガー部４に対する操作アーム部６自体の取り付け位置を任意に変更させることで、把持部３に対するトリガー部４の引き込み操作が行い易い位置となるように容易に設定できる。
【００１３】
トリガー部４は、操作ロッド部２と並行に配置されたガイドロッド１１を介して把持部３側へ案内移動可能としたので、把持部３側へのトリガー部４の引き込みに際し、操作ロッド部２に対するトリガー部４の回動を未然に阻止でき、トリガー部４の引き込み操作が容易に行える。
【００１４】
またこれらの釣り針Ｐに対するフック部１２の引っ掛け、釣り針Ｐの挟時、引き込みによる釣り針Ｐの固定、把持部３の回転操作によるフック部１２の釣り針Ｐに対する回転離脱その他を把持部３を握持したままで操作でき、しかも操作ロッド部２の十分な長さのもとで、魚からの適当な間隔を保持したままで一連の作業を行うことができる。
【００１５】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１６】
以下図面を参照して本発明を実施するための最良の一形態を説明すると、図において示される符号１は、釣られた魚の例えば喉奥部に引っ掛かっている釣り針Ｐを取り外すために使用される略ピストルタイプに形成されている釣り針取り外し具である。この釣り針取り外し具１は図１に示すように、ピストル銃身に相当するが如き例えば金属パイプ材製等の操作ロッド部２、手指にて握持可能なようにピストルホルダー部に相当するが如き例えば木材製等の把持部３、ピストル引き金に相当するが如き例えばアルミニウム材製等のトリガー部４それぞれを備えることで形成されている。
【００１７】
すなわち把持部３には、先端側が次第に細径となって形成されている筒状の操作ロッド部２を前方に向けて突出配置させ、トリガー部４は、図２に示すように、操作ロッド部２にスライド貫挿され、操作ロッド部２に巻装配置された例えばコイル状のスプリングバネ５の拡圧弾性力に抗してトリガー部４を把持部３側へ向けて圧縮可能にしてある。そして、トリガー部４の引き込み力の解除によってスプリングバネ５の拡圧弾性力でもってトリガー部４が操作ロッド部２上の元位置に復帰されるようにしてある。尚、操作ロッド部２自体は、作業者の手指等で握持操作する把持部３と、釣り針Ｐを固定する後述の操作アーム部６先端のフック部１２との間隔を十分に保持できるように例えば２０〜５０ｃｍ程度の長さを備えている。もとより、この操作ロッド部２自体の長さはこれに限定されるものではない。
【００１８】
また図３に示すように、操作ロッド部２のトリガー部４寄りの下側位置には、若干長めの側面開口部７を設け、操作ロッド部２内に挿通された操作アーム部６の末端部を側面開口部７から外側へいったん延出させてから、トリガー部４の前端側位置に形成された凹面部８において、例えば六角レンチ使用可能な六角穴頭部を有するネジ体９Ａと、ネジ孔を貫設した矩形板状の押さえ部材９Ｂとから成るネジ止め挟持部材１０によって着脱可能に取り付けられている。
【００１９】
さらにトリガー部４は、操作ロッド部２と並行に配置されたガイドロッド１１を介して把持部３側に連繋されており、把持部３側へのトリガー部４の引き込みに際し、操作ロッド部２に対するトリガー部４の回動を未然に阻止できるようにしてある。尚、このガイドロッド１１は、トリガー部４後面に固着され、把持部３の前面で出没されるように把持部３前面に開穿されたガイド孔に挿通されている。
【００２０】
また、操作ロッド部２内を通ってから外方に突出された操作アーム部６の先端部には、当該先端部を折り返すことで釣り針Ｐを引っ掛けるためのフック部１２が形成され、トリガー部４の把持部３側への引き込み操作によってフック部１２の折曲部位を操作ロッド部２先端開口位置まで引き込み退避させることができるようにしてあり、これによって操作ロッド部２先端とフック部１２の折り返し部分との間に釣り針Ｐを挟持可能となるようにしてある。
【００２１】
次に、以上のような実施の形態による本発明の釣り針取り外し具１の使用、動作について説明すれば、図１，図２に示すように、釣り針取り外し具１の使用に際し、把持部３を操作する手指等にて握持すると共に、魚がその喉奥部で銜えている釣り針Ｐに操作アーム部６先端のフック部１２における折曲部位を引っ掛けるのである。そして把持部３側へのトリガー部４の引き込み操作によって操作ロッド部２に沿って操作アーム部６を牽引し、フック部１２における折曲部位を操作ロッド部２先端開口位置で係止されるまで引き込み移動することで、フック部１２によって捕捉されている釣り針Ｐを操作ロッド部２先端とフック部１２の折り返し部分との間に挟持固定する。この状態で必要があれば、魚の喉奥部側へ釣り針Ｐをいったん押し込み、操作ロッド部２ごとフック部１２を回転させることで釣り針Ｐを離脱させるのである。
【００２２】
把持部３に対するトリガー部４の位置調整を行う場合には、ネジ止め挟持部材１０をいったん取り外してから、トリガー部４に対する操作アーム部６の末端部の取り付け位置を任意に変更させた状態でネジ止め挟持部材１０で固定することで、把持部３に対するトリガー部４の引き込み操作を行いやすい位置となるように設定できるものとなる。
【図面の簡単な説明】
【００２３】
【図１】本発明を実施するための最良の形態を示す使用状態の側面図である。
【図２】同じくトリガー部を引いて釣り針を挟持した状態の要部拡大図を含む側面図である。
【図３】同じくトリガー部に操作アーム部の分解斜視図である。
【図４】従来例を示すもので、（ａ）は二股状のフック部を備えた取り外し具の斜視図、（ｂ）は円環状もしくは螺旋状のフック部を備えた取り外し具の斜視図である。
【符号の説明】
【００２４】
Ｐ…釣り針
１…釣り針取り外し具                    ２…操作ロッド部
３…把持部                              ４…トリガー部
５…スプリングバネ                      ６…操作アーム部
７…側面開口部                          ８…凹面部
９Ａ…ネジ体                            ９Ｂ…押さえ部材
１０…ネジ止め挟持部材                  １１…ガイドロッド
１２…フック部
１０１…把持部                          １０２…操作アーム部
１０３…フック部
２０１…把持部                          ２０２…操作アーム部
２０３…フック部
【図１】
2005253375.tif 000003
【図２】
2005253375.tif 000004
【図３】
2005253375.tif 000005
【図４】
2005253375.tif 000006